(57)【特許請求の範囲】
【請求項１】
無線通信により情報の書込みが可能な無線タグ回路素子を所定間隔で帯状に複数配設したフィルムをロール状にして内部に収納する箱状のハウジングから構成される無線タグカートリッジであって、
前記ハウジングの一部または全部に形成され、前記無線通信を遮断する電磁波シールドを備え、
前記ハウジング外に引き出された前記無線タグ回路素子については、前記ハウジング外に設けられたアンテナとの無線通信を可能にすることで、前記情報の書込みを可能な状態にする一方、
前記ハウジング内に収納されている前記無線タグ回路素子については、前記アンテナとの無線通信を前記電磁波シールドにより遮断することで、前記情報の書込みを不能な状態にすることを特徴とする無線タグカートリッジ。
【請求項２】
前記無線タグカートリッジのハウジングは、電磁波シールド材を蒸着、塗装、あるいはメッキした樹脂により形成されているものであることを特徴とする請求項１記載の無線タグカートリッジ。
【請求項３】
前記無線タグカートリッジのハウジングは、電磁波吸収体により形成されていることを特徴とする請求項１記載の無線タグカートリッジ。
【請求項４】
前記無線タグカートリッジのハウジングは、導体を含有する樹脂により形成されていることを特徴とする請求項３記載の無線タグカートリッジ。
【請求項５】
前記無線タグカートリッジのハウジングは、フェライト又は抵抗膜により形成されていることを特徴とする請求項３記載の無線タグカートリッジ。
【請求項６】
無線通信により情報の書込みが可能な無線タグ回路素子を所定間隔で帯状に複数配設したベースフィルムをロール状にして内部に収納する無線タグ収納部と、前記ベースフィルムと張り合わされるカバーフィルムをロール状にして内部に収納するカバーフィルム収納部とを備えた箱状のハウジングから構成される無線タグカートリッジであって、
前記無線タグ収納部には、前記無線通信を遮断する電磁波シールドが備えられ、
前記無線タグ収納部の外に引き出された前記無線タグ回路素子については、前記ハウジング外に設けられたアンテナとの無線通信を可能にすることで、前記情報の書込みを可能な状態にする一方、
前記無線タグ収納部に収納されている前記無線タグ回路素子については、前記アンテナとの無線通信を前記電磁波シールドにより遮断することで、前記情報の書込みを不能な状態にすることを特徴とする無線タグカートリッジ。
【請求項７】
前記無線タグカートリッジのハウジングは、そのハウジング内面に電磁波シールド材が貼り付けられている樹脂により形成されていることを特徴とする請求項１又は６に記載の無線タグカートリッジ。
【請求項８】
無線通信により情報の書込みが可能な無線タグ回路素子を所定間隔で帯状に複数配設したフィルムをロール状にして内部に収納した無線タグカートリッジを、着脱自在に内部に収納するカートリッジホルダ部を有し、そのカートリッジホルダ部に収納された無線タグカートリッジから前記カートリッジホルダ部の外へ引き出された前記無線タグ回路素子に前記情報を書込む無線タグ情報通信装置であって、
前記カートリッジホルダ部の外に、前記無線タグ回路素子に書込ませる前記情報を送信するアンテナを備え、
前記カートリッジホルダ部は、その一部または全部に形成されると共に、前記無線通信を遮断する電磁波シールド部材を備え、
前記カートリッジホルダ部の外に引き出された前記無線タグ回路素子については、前記アンテナとの無線通信を可能にすることで、前記情報の書込みを可能な状態にする一方、
前記カートリッジホルダ部の内に存在する前記無線タグ回路素子については、前記アンテナとの無線通信を前記電磁波シールド部材により遮断することで、前記情報の書込みを不能な状態にすることを特徴とする無線タグ情報通信装置。
【請求項９】
前記カートリッジホルダ部は、電磁波シールド部材を蒸着、塗装あるいはメッキした樹脂により形成されていることを特徴とする請求項８記載の無線タグ情報通信装置。
【請求項１０】
前記カートリッジホルダ部は、樹脂により形成されているものであり、この樹脂の一部または全部を、電磁波シールド部材により囲むように構成されていることを特徴とする請求項８記載の無線タグ情報通信装置。
【請求項１１】
前記カートリッジホルダ部は、電磁波シールド部材により形成されていることを特徴とする請求項８記載の無線タグ情報通信装置。
【請求項１２】
前記カートリッジホルダ部に加え、更に、前記アンテナの指向性が強い方向に対して、前記電磁波シールド部材を配置していることを特徴とする請求項８から１１のいずれかに記載の無線タグ情報通信装置。
【請求項１３】
前記電磁波シールド部材は、フェライト又は抵抗膜により形成されていることを特徴とする請求項１０から１２のいずれかに記載の無線タグ情報通信装置。
【発明の詳細な説明】
【技術分野】
【０００１】
本発明は、無線タグカートリッジおよび無線タグ情報通信装置に関し、特に、書込み対象外の無線タグ回路素子への情報の書込みを防止することができる無線タグカートリッジおよび無線タグ情報通信装置に関するものである。
【背景技術】
【０００２】
小型の無線タグとリーダ（読み取り装置）／ライタ（書込み装置）との間で非接触で情報の読み取り／書き込みを行うＲＦＩＤ（Ｒａｄｉｏ  Ｆｒｅｑｕｅｎｃｙ  Ｉｄｅｎｔｉｆｉｃａｔｉｏｎ）システム
が知られている。例えば、ラベル状の無線タグに備えられた無線タグ回路素子は、所定の情報を記憶するＩＣ回路部と、このＩＣ回路部に接続されて情報の送受信を行うアンテナ部とを備えており、無線タグが汚れている場合や見えない位置に配置されている場合であっても、リーダ／ライタ側よりＩＣ回路部に対して情報の読み取り／書き込みが可能であり、商品管理や検査工程等の様々な分野において実用が期待されている。
【０００３】
このような無線タグ回路素子に対し情報の書込みを行うライタ（書込み装置）としては、例えば、特許文献１に記載のものが知られている。この従来技術では、所定間隔で長方形状のラベルが貼り付けられた帯状の用紙を用紙供給部から順次巻き出して筐体の一方側から供給し、筐体内のモジュールで生成した所定の情報を、上記帯状用紙の搬送路に設けた読み取り／書き込みアンテナを介してラベルに貼り付けられた無線タグ回路素子側に送信することにより、無線タグ回路素子のＩＣ回路部に対して順次書き込みが行われ、最終的に筐体の他方側から排出する。
【特許文献１】特開２００２−２０２６号公報（段落番号０００２〜０００９、図１    〜４）
【発明の開示】
【発明が解決しようとする課題】
【０００４】
無線タグとの通信においては、その周波数帯域として、従来、古くから利用されている１２５ＫＨｚ帯、利用実績が多い１３．６５ＭＨｚ帯等が用いられてきた。しかしながら、これらの帯域を用いたものでは通信距離が短くなるため、無線タグとしての用途が限られてしまうという難点があった。そこで、今後は、周波数帯域として、欧米で多く利用されているＵＨＦ帯等（８３０〜９３０ＭＨｚ帯、２．４５ＧＨｚ帯等）の高周波の利用が考えられつつある。
【０００５】
上記従来技術においては、このような高周波帯を利用する場合についてまで特に配慮されていないため、そのままでは、通信距離が長くなることによって本来の情報書込み対象である無線タグ回路素子のみならず、後続の他の無線タグ回路素子までが通信可能エリア内に入ることになる。よって、情報書込み対象である無線タグ回路素子に加えて、後続の他の無線タグ回路素子へも（情報書込み対象外の無線タグ回路素子へも）情報が書込まれてしまうという問題点があった。
【０００６】
本発明の目的は、上記問題点を解決するために為されたもので、ＵＨＦ帯等の高周波を用いる場合であっても、書込み対象外の無線タグ回路素子への情報の書込みを防止することができる無線タグカートリッジおよび無線タグ情報通信装置を提供することにある。
【課題を解決するための手段】
【０００７】
上記課題の目的を達成するために、本発明の請求項１に記載の無線タグカートリッジは、無線通信により情報の書込みが可能な無線タグ回路素子を所定間隔で帯状に複数配設したフィルムをロール状にして内部に収納する箱状のハウジングから構成されるものであり、前記ハウジングの一部または全部に形成され、前記無線通信を遮断する電磁波シールドを備え、前記ハウジング外に引き出された前記無線タグ回路素子については、前記ハウジング外に設けられたアンテナとの無線通信を可能にすることで、前記情報の書込みを可能な状態にする一方、前記ハウジング内に収納されている前記無線タグ回路素子については、前記アンテナとの無線通信を前記電磁波シールドにより遮断することで、前記情報の書込みを不能な状態にする。
【０００８】
請求項２記載の無線タグカートリッジは、請求項１記載の無線タグカートリッジにおいて、前記無線タグカートリッジのハウジングは、電磁波シールド材を蒸着、塗装、あるいはメッキした樹脂により形成されている。
【０００９】
請求項３記載の無線タグカートリッジは、請求項１記載の無線タグカートリッジにおいて、前記無線タグカートリッジのハウジングは、電磁波吸収体により形成されている。
【００１０】
請求項４記載の無線タグカートリッジは、請求項３記載の無線タグカートリッジにおいて、前記無線タグカートリッジのハウジングは、導体を含有する樹脂により形成されている。
【００１１】
請求項５記載の無線タグカートリッジは、請求項３記載の無線タグカートリッジにおいて、前記無線タグカートリッジのハウジングは、フェライト又は抵抗膜により形成されている。
【００１２】
請求項６記載の無線タグカートリッジは、無線通信により情報の書込みが可能な無線タグ回路素子を所定間隔で帯状に複数配設したベースフィルムをロール状にして内部に収納する無線タグ収納部と、前記ベースフィルムと張り合わされるカバーフィルムをロール状にして内部に収納するカバーフィルム収納部とを備えた箱状のハウジングから構成されるものであり、前記無線タグ収納部には、前記無線通信を遮断する電磁波シールドが備えられ、前記無線タグ収納部の外に引き出された前記無線タグ回路素子については、前記ハウジング外に設けられたアンテナとの無線通信を可能にすることで、前記情報の書込みを可能な状態にする一方、前記無線タグ収納部に収納されている前記無線タグ回路素子については、前記アンテナとの無線通信を前記電磁波シールドにより遮断することで、前記情報の書込みを不能な状態にする。
【００１３】
請求項７記載の無線タグカートリッジは、請求項１又は６に記載の無線カートリッジにおいて、前記無線タグカートリッジのハウジングは、そのハウジング内面に電磁波シールド材が貼り付けられている樹脂により形成されている。
【００１４】
請求項８記載の無線タグ情報通信装置は、無線通信により情報の書込みが可能な無線タグ回路素子を所定間隔で帯状に複数配設したフィルムをロール状にして内部に収納した無線タグカートリッジを、着脱自在に内部に収納するカートリッジホルダ部を有し、そのカートリッジホルダ部に収納された無線タグカートリッジから前記カートリッジホルダ部の外へ引き出された前記無線タグ回路素子に前記情報を書込むものであり、前記カートリッジホルダ部の外に、前記無線タグ回路素子に書込ませる前記情報を送信するアンテナを備え、前記カートリッジホルダ部は、その一部または全部に形成されると共に、前記無線通信を遮断する電磁波シールド部材を備え、前記カートリッジホルダ部の外に引き出された前記無線タグ回路素子については、前記アンテナとの無線通信を可能にすることで、前記情報の書込みを可能な状態にする一方、前記カートリッジホルダ部の内に存在する前記無線タグ回路素子については、前記アンテナとの無線通信を前記電磁波シールド部材により遮断することで、前記情報の書込みを不能な状態にする。
【００１５】
請求項９記載の無線タグ情報通信装置は、請求項８記載の無線タグ情報通信装置において、前記カートリッジホルダ部は、電磁波シールド部材を蒸着、塗装あるいはメッキした樹脂により形成されている。
【００１６】
請求項１０記載の無線タグ情報通信装置は、請求項８記載の無線タグ情報通信装置において、前記カートリッジホルダ部は、樹脂により形成されたものであり、この樹脂の一部または全部を、電磁波シールド部材により囲むように構成されている。
【００１７】
請求項１１記載の無線タグ情報通信装置は、請求項８記載の無線タグ情報通信装置において、前記カートリッジホルダ部は、電磁波シールド部材により形成されている。
【００１８】
請求項１２載の無線タグ情報通信装置は、請求項８から１１のいずれかに記載の無線タグ情報通信装置において、前記カートリッジホルダ部に加え、更に、前記アンテナの指向性が強い方向に対して、前記電磁波シールド部材を配置している。
【００１９】
請求項１３記載の無線タグ情報通信装置は、請求項１０から１２のいずれかに記載の無線タグ情報通信装置において、前記電磁波シールド部材は、フェライト又は抵抗膜により形成されている。
【発明の効果】
【００２０】
本発明の無線タグカートリッジによれば、ハウジング外に設けられたアンテナとの無線通信により無線タグ回路素子に情報を書込む場合、ハウジング外に引き出された無線タグ回路素子については、アンテナとの無線通信を可能にすることで、情報の書込みを可能な状態にする。一方、ハウジング内に収納されている無線タグ回路素子については、アンテナとの無線通信を、ハウジングの一部または全部に形成された電磁波シールドにより遮断することで、情報の書込みを不能な状態にする。よって、ハウジング内に収納されている無線タグ回路素子への、即ち、書込み対象外の無線タグ回路素子への情報の書込みを防止することができるという効果がある。
【００２１】
また、無線タグ収納部とカバーフィルム収納部とを備える本発明の無線タグカートリッジによれば、ハウジング外に設けられたアンテナとの無線通信により無線タグ回路素子に情報を書込む場合、無線タグ収納部の外に引き出された無線タグ回路素子については、アンテナとの無線通信を可能にすることで、情報の書込みを可能な状態にする。一方、無線タグ収納部に収納されている無線タグ回路素子については、無線タグ収納部に備えられる電磁波シールドによりアンテナとの無線通信を遮断することで、情報の書込みを不能な状態にする。よって、無線タグ収納部に収納されている無線タグ回路素子への、即ち、書込み対象外の無線タグ回路素子への情報の書込みを防止することができるという効果がある。
【００２２】
また、本発明の無線タグ情報通信装置によれば、カートリッジホルダ部の外に設けられたアンテナとの無線通信により無線タグ回路素子に情報を書込む場合、カートリッジホルダ部の外に引き出された無線タグ回路素子については、アンテナとの無線通信を可能にすることで、情報の書込みを可能な状態にする。一方、カートリッジホルダ部の内に存在する無線タグ回路素子については、カートリッジホルダ部が備える電磁波シールド部材によりアンテナとの無線通信を遮断することで、情報の書込みを不能な状態にする。よって、カートリッジホルダ部の内に存在する無線タグ回路素子への、即ち、書込み対象外の無線タグ回路素子への情報の書込みを防止することができるという効果がある。
【００２３】
また、本発明の無線タグ情報通信装置によれば、カートリッジホルダ部は電磁波シールド部材を備えているので、カートリッジホルダ部に収納される無線タグカートリッジに電磁波シールドを施す必要がない。よって、無線タグカートリッジのコストを抑制することができるという効果がある。
【００２４】
また、本発明の無線タグ情報通信装置において、カートリッジホルダ部に加え、更に、アンテナの指向性が強い方向に対して、電磁波シールド部材を配置した構成であれば、カートリッジホルダ部の外に設けられたアンテナとの無線通信により無線タグ回路素子に情報を書込む場合、その無線通信が無線タグ情報通信装置外に及ぶことを防止することができる。よって、無線タグ情報通信装置の外部の近辺に置かれた無線タグ回路素子に誤って情報が書込まれてしまうことを防止することができるという効果がある。
【発明を実施するための最良の形態】
【００２５】
以下、本発明の好適な実施例を図面に基づいて詳細に説明する。
【００２６】
図１は、本発明が好適に適用される無線タグ生成システム１０を説明する図である。この無線タグ生成システム１０において、本発明の一実施例である無線タグ情報通信装置１２は、有線或いは無線による通信回線１４を介してルートサーバ１６、端末１８、汎用コンピュータ２０、及び複数の情報サーバ２２に接続されている。
【００２７】
この無線タグ生成システム１０では、端末１８又は汎用コンピュータ２０において、無線タグラベル２４に書込む情報や無線タグラベル２４の印刷範囲に印刷する文字などの情報がユーザにより入力されるとともに、情報サーバ２２に記憶されている物品情報のアドレスと、ルートサーバ１６におけるそれらの対応情報の格納先アドレス等が指定されることにより、無線タグ情報通信装置１２により無線タグに内包される無線タグ回路素子２４ａに識別情報および物品情報等が書込まれ、無線タグラベル２４の印刷範囲に、印刷が行われる。
【００２８】
図２は、上記無線タグ情報通信装置１２の構成を説明する図である。この無線タグ情報通信装置１２は、図４および図５に示す無線タグラベル２４を作成するためのもので、後述するように所定の印字文字等の印刷を施すとともに、所望の書き込みＩＤ及び物品情報等をＩＣ回路部８０に書き込んで、ユーザの要望に応じた無線タグラベル２４を即座に作成できるようにしたもので、その無線タグラベル２４の素材となるタグテープ２６を生成するための後述するカバーフィルム８６、インクリボン９８、アンテナ部６４及びＩＣ回路部８０から成る無線タグ回路素子２４ａが所定の間隔で帯状に配設された基材テープ９２等を収納する着脱自在のカートリッジ２８と、カートリッジ用モータ３０を駆動してそのカートリッジ２８からタグテープ２６の送出を制御するカートリッジ用モータ駆動回路３２と、上記タグテープ２６に印刷を行うためにサーマルヘッド３４の駆動を制御する印刷駆動回路３６と、そのタグテープ２６を矢印で示す方向に送出するための送出ローラ３８と、送出ローラ用モータ４０を介してその送出ローラ３８の駆動を制御する送出ローラ駆動回路４２と、上記タグテープ２６をカートリッジ２８から搬出口４４へ案内するための搬送ガイド４６と、ソレノイド４８の駆動に応じてそのタグテープ２６を所定の長さで切断して個々の無線タグラベル２４に分割するカッタ５０と、上記搬出口４４におけるそのタグテープ２６の有無を検出するセンサ５２と、上記無線タグ回路素子２４ａとの間で通信を行うための装置側アンテナ部５４と、その装置側アンテナ部５４を介してその無線タグ回路素子２４ａに情報を書き込むための高周波回路５６と、その無線タグ回路素子２４ａから読み出された信号を処理して情報を読み出すための信号処理回路５８と、上記カートリッジ用モータ駆動回路３２、印刷駆動回路３６、送出ローラ駆動回路４２、ソレノイド４８、高周波回路５６、及び信号処理回路５８等を介して上記無線タグ情報通信装置１２を制御するための制御回路６０とを、備えて構成されている。その制御回路６０は、入出力インターフェイス６２により上記通信回線１４に接続されている。カートリッジ２８を収納するカートリッジホルダ部については、後述する。
【００２９】
図３は、上記無線タグ回路素子２４ａの構成を説明する図である。この図３に示すように、上記無線タグ回路素子２４ａは、前記無線タグ情報通信装置１２とＵＨＦ等の高周波を用いた反射通信により信号の送受信を行うためのアンテナ部６４と、そのアンテナ部６４により受信された搬送波を整流する整流部６６と、その整流部６６により整流された搬送波のエネルギを蓄積するための電源部６８と、上記アンテナ部６４により受信された搬送波からクロック信号を抽出して制御部７６に供給するクロック抽出部７０と、所定の情報信号を記憶し得る情報記憶部として機能するメモリ部７２と、上記アンテナ部６４に接続された変復調部７４と、上記整流部６６、クロック抽出部７０、及び変復調部７４等を介して上記無線タグ回路素子２４ａの作動を制御するための制御部７６とを、備えて構成されている。この制御部７６は、前記無線タグ情報通信装置１２と通信を行うことにより上記メモリ部７２に上記所定の情報を記憶する制御や、上記アンテナ部６４により受信された搬送波を変復調部７４において上記メモリ部７２に記憶された情報信号に基づいて変調したうえで反射波として上記アンテナ部６４から反射返信する制御等の基本的な制御を実行する。上記整流部６６、電源部６８，クロック抽出部７０、変復調部７４、制御部７６、及びメモリ部７２は、一つの集積回路であるＩＣ回路部８０内に形成されている。
【００３０】
図４は、前記無線タグラベル２４の外観を説明する図であり、（ａ）は平面図、（ｂ）は底面図である。また、図５は、図４のV‐V視断面図である。図４（ａ）に示すように、前記無線タグラベル２４の片側の面（表面）には、例えば、その無線タグラベル２４の内容をユーザが認識可能な「ＲＦ−ＩＤ」等の印字７８がカバーフィルム８６に形成されている。また、図４（ｂ）に示すように、無線タグラベル２４の裏面は、剥離紙９０が粘着されていて何も印刷されていない。
【００３１】
図５に示すように、上記整流部６６、電源部６８、クロック抽出部７０、メモリ部７２、変復調部７４、及び制御部７６等を含むＩＣ回路部８０は、ＰＥＴ（ポリエチレンテレフタラート）等から成る色付きのベースフィルム８２と一体的に設けられており、上記アンテナ部６４は、そのベースフィルム８２の表面に印刷等により形成されている。そして、そのベースフィルム８２の表側には粘着層８４を介して透明なカバーフィルム８６が、裏側には粘着層８８を介して剥離紙９０がそれぞれ接着されている。上記印字７８は、上記カバーフィルム８６の裏面すなわち上記粘着層８４側の面に印刷されている。また、前記無線タグラベル２４が所定の商品等に貼り付けられる際には、上記剥離紙９０が剥がされて粘着層８８により接着される。
【００３２】
図６は、本発明の、前記カートリッジ２８の構成を詳しく説明する図である。このカートリッジ２８には、一部を拡大して示すように、前記アンテナ部６４及びＩＣ回路部８０等からなる無線タグ回路素子２４ａが連続配置された帯状の基材テープ９２が巻回された第１ロール９４（無線タグ収納部）と、その基材テープ９２と略同じ幅である前記カバーフィルム８６が巻回された第２ロール９６（カバーフィルム収納部）と、インクリボン９８が巻回されたインクリボンロール１００と、そのインクリボン９８を巻き取るための巻取ローラ１０２と、上記基材テープ９２とカバーフィルム８６とを押圧してそれらを接着させつつ矢印で示す方向にテープ送りをする圧着ローラ１０４とが、それぞれの軸心回りに自転可能に設けられている。上記第１ロール９４及び第２ロール９６は、図面では同心円状に描かれているが、実際には芯に巻かれた渦巻き状になっている。上記インクリボンロール１００及び巻取ローラ１０２は、上記カバーフィルム８６の裏面側すなわち上記基材テープ９２と接着される側に配設されており、上記インクリボン９８は、前記無線タグ情報通信装置１２本体に設けられたサーマルヘッド３４に押圧されることで、上記カバーフィルム８６の裏面に当接させられるようになっている。
【００３３】
前記タグテープ２６の形成においては、前記カートリッジ用モータ３０の駆動により上記巻取ローラ１０２と圧着ローラ１０４とが矢印で示す方向にそれぞれ同期して自転させられる。この際に、前記印刷駆動回路３６により前記サーマルヘッド３４に備えられた複数の発熱素子に通電されると、前記カバーフィルム８６の裏面すなわち上記基材テープ９２と接着される側の面に所定の文字や記号、或いはバーコード等が印刷され、その印刷が行われたうえで上記圧着ローラ１０４により上記基材テープ９２と接着されて前記タグテープ２６が形成される。さらに該タグテープ２６は、ガイド４６に移送され、このガイド４６を通過するとき、装置側アンテナ部５４を介して問い合わせ信号が無線タグ回路素子２４ａに対して発信され、無線タグ回路素子２４ａは、これに対する返答の電波を送信する。制御回路６０および信号処理回路５８は、この返答された電波に含まれる無線タグ回路素子２４ａのＩＤを抽出し、そのＩＤを含む書込み命令と書込む情報とを送信する。こうして無線タグ回路素子２４ａのＩＣ回路部８０に所定の情報が書き込まれた後、前記カッタ５０により所定の長さで切断されて個々の無線タグラベル２４に分割される。
【００３４】
個々の無線タグ回路素子２４ａには、カートリッジに２８に収容されている順序（言い換えれば取り出される順序）に応じて、所定の識別情報が予め記憶されている。カートリッジ２８から取り出された無線タグ回路素子２４ａには、通常、個々に異なる情報を書込むことができ、カートリッジ２８の内部に収納されている無線タグ回路素子２４ａにはその情報が書込まれないようにする必要がある。そこで、本発明の無線タグカートリッジ２８は、そのハウジング２９に電磁波シールドを施している。
【００３５】
電磁波シールドを施す方法としては、無線タグカートリッジ２８のハウジング２９自体を電磁波シールド部材で形成する方法と、無線タグカートリッジのハウジング２９自体は電磁波シールド効果のない樹脂などで形成し、このハウジング２９に電磁波シールド部材を付着させる方法がある。
【００３６】
電磁波シールド部材としては、抵抗性電波吸収体（抵抗皮膜、抵抗繊維、導電性塗料など）や誘電性電波吸収体（ゴムカーボン系、ＦＲＰ系など）や組み合わせ電波吸収体（フェライト系とカーボン系など）が知られている。これらは、電波の帯域により特性が異なるので、広帯域に電磁波シールドが必要な場合には、多層型が用いられる。
【００３７】
ミリ波帯用としては、カーボン粒子を混入したエポキシ変成ウレタンゴムや、塗料としてのエポキシ樹脂に酸化チタンとカーボン粒子を混入したものや、抵抗皮膜吸収体として保護膜の下層にＩＴＯ（酸化インジウムスズ）の抵抗皮膜とその下層にアルミ箔で多層構造としたものなどが用いられる。
【００３８】
第１実施例としては、電磁波シールドを施す手段として、カートリッジ２８のハウジング２９を、電磁波シールド部材で形成する。例えば、ハウジング２９を、樹脂にカーボンなどの導体を含有させたもの、あるいは導体（アルミニウム等）で作成する。
【００３９】
第２実施例としては、ハウジング２９は、電磁波をシールドしない通常の樹脂とし、ハウジング２９の内側に電磁波シールド部材を貼り付けることである。図６は、第２実施例を説明するための図であって、カートリッジ２８のハウジング２９の内側に電磁波シールド部材３１を貼り付ける様子を表すもので、ハウジング２９の内側全面に電磁波シールド部材を溶着ポスト２９ａにより貼り付けたものである。
【００４０】
これに代わる方法として、カートリッジ２８のハウジング２９に電磁波シールド部材を蒸着させたり、電磁波シールド部材を塗布したり、メッキしたりすることにより、電磁波シールドを施すことができる。
【００４１】
またハウジング２９には電磁波シールド部材３１より導通端子３１ａが接続されており、カートリッジ２８を無線タグ情報通信装置１２に装着することにより、後述する装置側の導通端子５６ａと接触により導通がとられ、無線タグ情報通信装置１２の接地電位と同じ電位となるように構成されている。このため、電磁波シールド部材３１は、常に接地電位となり、電磁波を受けて再放出することなく、電磁波シールドの役割を果たす。
【００４２】
図７は、第３実施例を説明するための図であって、カートリッジ２８内に収納されているＩＣ回路部８０等が連続配置された帯状の基材テープ９２が巻回された第１ロール９４の部分のみを電磁波シールド部材で囲む様子を示す図である。図に示すように、カートリッジ２８内の第１ロール９４とその上方へ引き出された基材テープ９２が圧着ローラ１０４付近までを囲む電磁波シールド部材３３により囲むように、電磁波シールド部材３３を溶着ポスト２９ａにより貼り付けたものである。第２実施例と同様に、この電磁波シールド部材３３より導通端子３３ａが接続されており、カートリッジ２８を無線タグ情報通信装置１２に装着することにより、後述する装置側の導通端子５６ａと接触により導通がとられ、無線タグ情報通信装置１２の接地電位と同じ電位になるように構成されている。
【００４３】
第１および第２実施例では、カートリッジ２８のハウジング２９自体、あるいはハウジングの全面に電磁波シールドを施したので、確実に電磁波をシールドすることができる。一方、第３実施例では、無線タグ回路素子２４ａが収容されている部分のみに電磁波シールドを施しており、安価に効率よく電磁波をシールドすることができる。
【００４４】
上記第１〜第３実施例においては、カートリッジ２８に、電磁波シールドを施す場合について説明したが、カートリッジ２８を収納し、カートリッジ２８から取り出された無線タグ回路素子２４ａと情報の通信を行う無線タグ情報通信装置１２の装置側に電磁波シールドを施すようにした他の実施例について以下説明する。
【００４５】
図８は、カートリッジホルダ部１１２に電磁波シールドを施した第４実施例を説明するための図であって、そのＸ−Ｘ断面図に示すように、樹脂で形成されたカートリッジホルダ部１１２の全面に電磁波シールド部材１１４を溶着ポストにより貼付けたものである。なお、この図は、カートリッジ２８を装着していない状態を表している。このカートリッジホルダ部１１２には、カートリッジ２８を装着または取り出す際に開閉するカートリッジホルダ蓋１３が設けられ、このカートリッジホルダ蓋１３の内側も全面、電磁波シールド部材１１６が接着材により貼り付けられている。これらの、電磁波シールド部材１１４および１１６は、接地電位と同じ電位となるように導通が取られている。
【００４６】
なお、カートリッジホルダ部１１２やカートリッジホルダ蓋１３自体を電磁波シールド部材で形成してもよい。また、カートリッジホルダ部１１２やカートリッジホルダ蓋１３を電磁波シールドの効果がない通常の樹脂で形成し、この樹脂に電磁波シールド部材を蒸着、塗布あるいはメッキしてもよい。
【００４７】
また、第５実施例として、無線タグ情報通信装置１２の筐体内部であって、タグテープ２６をカートリッジ２８から搬出口４４へ案内するための搬送ガイド４６または無線タグ回路素子２４ａとの間で通信を行うための装置側アンテナ部５４の上側および下側には、電磁波シールド部材１０８、１１０を設けている。この様子を図８の中央部およびＹ−Ｙ断面図に示している。メンテナンス用カバー１２２は、タグテープ２６が、搬送ガイド４６などに詰まったりした場合に、修理を行うための取り外し可能な蓋であり、その四隅が螺子止めされている。この図では、メンテナンス用カバー１２２の一部省いて内部を表示している。その内部には、樹脂により形成される逆コの字型部１０６の内側上面に電磁波シールド部材１０８、また、内側下面に電磁波シールド部材１１０が貼付けられている。これらの電磁波シールド部材も、接地電位と同じ電位となるように導通が取られている。メンテナンス用カバー１２２自体も、電磁波シールド部材であるアルミニウム板などで形成され、接地電位と同じ電位となるように導通が取られている。
【００４８】
この装置側アンテナ部５４の上下方向は、電磁波の指向性が強く、この装置側アンテナ部５４の上側および下側に電磁波シールド部材１０８および１１０を配置することによって該装置側アンテナ部５４からの電磁波を遮断できるため、筐体外部に無線タグ回路素子２４ａが置かれた場合、その無線タグ回路素子２４ａと通信しないようにすることができる。
【００４９】
図９は、第６実施例を説明するための図であって、無線タグ情報通信装置１２内部のカートリッジ２８を収納するカートリッジホルダ部１２４とカートリッジ２８から取り出された無線タグに対して情報を書込む書込み部を有する装置側アンテナ部５４との位置関係を表す。カートリッジホルダ部１２４は樹脂で形成され、装置側アンテナ部５４に近い部分を、電磁波シールド部材１２６で覆うとともに、サーマルヘッド３４や圧着ローラ１０４等のメンテナンスを行うための開閉する樹脂製の蓋１２８の装置側アンテナ部５４に近い部分にも電磁波シールド部材１３２が溶着ポスト１２８ａにより貼り付けられている。
【００５０】
この蓋１２８は、回動軸１３０を中心に開閉されるように構成されている。上記構成により、装置側アンテナ部５４から放射される電波は、指向性が強いので、電磁シールド部材１２６および１３２を設けることによりカートリッジ２８の内部に収納されている無線タグ回路素子２４ａとの通信を遮断することができる。
【００５１】
上記第４〜第６実施例においては、無線タグ情報通信装置１２において、カートリッジホルダ部１１２，１２４に電磁波シールドを施したので、カートリッジ２８には、電磁シールドを施す必要がなく、無線タグカートリッジを安価に供給することができる。
【００５２】
図１０は、上記各実施例における前記制御回路６０の構成を説明する図である。この図１０に示すように、前記制御回路６０は、中央演算処理装置であるＣＰＵ１４０、ＲＯＭ（Ｒｅａｄ  Ｏｎｌｙ  Ｍｅｍｏｒｙ）１４２、及びＲＡＭ（Ｒａｎｄｏｍ  Ａｃｃｅｓｓ  Ｍｅｍｏｒｙ）１４４等から成り、ＲＡＭ１４４の一時記憶機能を利用しつつＲＯＭ１４２に予め記憶されたプログラムに従って信号処理を行う所謂マイクロコンピュータである。Ｉ／Ｏ６２は、入出力回路であり、上記読取センサ３３およびセンサ５２の検出信号を入力し、上記、無線タグ回路素子２４ａとの送受信信号を処理して情報を読み出すための信号処理回路５８と情報を入出力し、カートリッジ用モータ駆動回路３２、印刷駆動回路３６、送出ローラ駆動回路４２、ソレノイド４８等を駆動する信号を出力する。また、この制御回路６０は、前記入出力インターフェイス６２を介して前記通信回線１４に接続されており、前記ルートサーバ１６、端末１８、汎用コンピュータ２０、及び情報サーバ２２等との間で情報の通信が可能とされている。
【００５３】
図１１は、無線タグ情報通信装置１２のＣＰＵ１４０が実行する無線タグ回路素子２４ａへの情報の書込み処理プログラムのフローチャートである。
【００５４】
まず、無線タグ情報通信装置１２は、無線タグ回路素子２４ａに対して、ＩＤ（識別情報）を問い合わせる電波を送信する（Ｓ１１）。この電波は、カートリッジ２８から取出されている無線タグ回路素子２４ａには届くが、カートリッジ２８は電磁波シールドが施されているので、カートリッジ内に収納されている無線タグ回路素子２４ａには届かないので、カートリッジ２８から取出されている無線タグ回路素子２４ａのみが応答する。この問い合わせに対する無線タグ回路素子２４ａからの応答を受信する（Ｓ１２）。
【００５５】
無線タグ回路素子２４ａからの返答に含まれるＩＤを抽出し、その抽出したＩＤを書き込み命令に含めて、その無線タグ回路素子２４ａに書き込む情報を送信し（Ｓ１３）処理を終了する。
【００５６】
一方、この書き込み情報を受信し、処理する無線タグ回路素子２４ａにおける処理を図１２のフローチャートを用いて説明する。
【００５７】
まず、ＩＤを問い合わせる電波を受信する（Ｓ２１）と、受信した電波をデジタル信号に変換（Ｓ２２）し、そのデジタル信号からＩＤを抽出する（Ｓ２３）。次に無線タグ回路素子２４ａ自身のＩＤをメモリ部７２から抽出し（Ｓ２４）、受信したＩＤと自己のＩＤとが同一か否かを判断する（Ｓ２５）。
【００５８】
これらのＩＤが同一である場合には（Ｓ２５：Ｙｅｓ）、受信したデジタル信号から命令コマンドを抽出し（Ｓ２６）、その命令コマンドが書込み命令か否かを判断する（Ｓ２７）。その命令が書込み命令である場合には（Ｓ２７：Ｙｅｓ）デジタル信号から書込み情報を抽出し（Ｓ２８）、その書込み情報をメモリ部７２に書き込み（Ｓ２９）処理を終了する。
【００５９】
一方、Ｓ２７の書込み命令であるか否かの判断処理において、書込み命令ではないと判断された場合は（Ｓ２７：Ｎｏ）、その命令に従って処理を行い（Ｓ３０）、この一連の処理を終了する。また、Ｓ２５の処理において、受信したＩＤと無線タグ回路素子自身のＩＤとが異なると判断された場合は、処理を終了する。
【００６０】
以上、実施例に基づき本発明を説明したが、本発明は上述した実施例に限定されるものではなく、本発明の趣旨を逸脱しない範囲内で種々の改良変更が可能であることは容易に推察できるものである。
【００６１】
例えば、上記実施例では、無線タグ回路素子は、カートリッジ内にロール状に巻かれたテープに所定間隔で内包されているものとしたが、これに限らず例えば、シート状のストラップをカセット内に積み上げられたものに、本発明を適用してもよい。
【図面の簡単な説明】
【００６２】
【図１】本発明が好適に適用される無線タグ生成システムを説明する図である。
【図２】無線タグ情報通信装置の構成とその動作を説明するための図である。
【図３】無線タグ回路素子の電気的構成を示すブロック図である。
【図４】無線タグラベルの概観を示す図であり、（ａ）は平面図、（ｂ）は底面図で    ある。
【図５】無線タグラベルの断面図である。
【図６】カートリッジの構成を説明する図である。
【図７】他のカートリッジの構成を説明する図である。
【図８】本発明の無線タグ情報通信装置の構成を示す図である。
【図９】カートリッジホルダ部を示す図である。
【図１０】制御回路の構成を説明する回路ブロック図である。
【図１１】無線タグ情報通信装置による無線タグ回路素子への情報書き込み動作を説    明するフローチャートである。
【図１２】無線タグ回路素子による無線タグ通信装置との情報交換動作を説明するフ    ローチャートである。
【符号の説明】
【００６３】
１２：無線タグ情報通信装置
２４：無線タグ回路素子
２８：カートリッジ
２９：カートリッジのハウジング
３１、３３：電磁波シールド部材
３３：カートリッジホルダ部
３４：サーマルヘッド
５４：装置側アンテナ部
６４：アンテナ部
７４：メモリ部
８０：ＩＣ回路部
９２：基材テープ（フィルム）
９４：第１ロール（無線タグ収納部）
９６：第２ロール（カバーフィルム収納部）
１０８、１１０：電磁波シールド部材
１２４：カートリッジホルダ部
【図１】
0004337526.tif 000002
【図２】
0004337526.tif 000003
【図３】
0004337526.tif 000004
【図４】
0004337526.tif 000005
【図５】
0004337526.tif 000006
【図６】
0004337526.tif 000007
【図７】
0004337526.tif 000008
【図８】
0004337526.tif 000009
【図９】
0004337526.tif 000010
【図１０】
0004337526.tif 000011
【図１１】
0004337526.tif 000012
【図１２】
0004337526.tif 000013